(57)【要約】【課題】カーテン生地をフレームに取着するための取付辺の梱包時の変形を防止し、かつ取付辺をフレームに容易に取着可能としたたくし上げカーテンの生地取付装置を提供する。【解決手段】フレーム２１から複数枚のカーテン生地を吊下支持し、カーテン生地を昇降装置で昇降可能としたたくし上げカーテンにおいて、カーテン生地を、フレーム２１の前面と、フレーム２１に回動可能に支持した取付辺３４から吊下支持し、取付辺３４はフレーム２１の係止部３６に対し、該フレーム２１の後方若しくは前方から掛止め可能とした。【選択図】図３
2010005315.tif 000002
【特許請求の範囲】
【請求項１】
フレームから複数枚のカーテン生地を吊下支持し、前記カーテン生地を昇降装置で昇降可能としたたくし上げカーテンにおいて、
前記カーテン生地を、前記フレームの前面と、前記フレームに回動可能に支持した取付辺から吊下支持し、前記取付辺を前記フレームの係止部に掛止め可能とするとともに、前記係止部からの前記取付辺の脱落を阻止する抜け止め部材を前記フレームに取着したことを特徴とするたくし上げカーテンの生地取付装置。
【請求項２】
前記フレームの下端部を上方へ屈曲して前記係止部を設け、前記取付辺の上端部を下方へ屈曲して前記係止部に掛止め可能とした掛止部を設けたことを特徴とする請求項１記載のたくし上げカーテンの生地取付装置。
【請求項３】
前記抜け止め部材は、
前記フレームの下縁部にあてがって回動可能とした主板と、
前記主板の下面に設けたつまみ片と、
前記主板の上面に設けられ、該主板の回動操作に基づいて前記フレームのリブに係合する固定片と
を備えたことを特徴とする請求項１又は２記載のたくし上げカーテンの生地取付装置。
【請求項４】
前記つまみ片は、前記固定片が前記リブに係合するとき、前記取付辺の掛止部に近接して該取付辺の前記係止部からの脱落を阻止することを特徴とする請求項３記載のたくし上げカーテンの生地取付装置。
【請求項５】
前記掛止部を半円弧状に形成するとともに、該円弧の中心を回動中心として前記係止部に回動可能に支持して、前記取付辺の回動時の掛止部と前記抜け止め部材との間隔を一定としたことを特徴とする請求項３又は４記載のたくし上げカーテンの生地取付装置。
【請求項６】
前記取付辺を前記係止部に回動可能に取着するとともに、該取付辺を水平方向に回動させた状態でのみ前記係止部に着脱可能とし、前記フレームには前記係止部より下方まで延設される昇降装置を取着して前記抜け止め部材としたことを特徴とする請求項１記載のたくし上げカーテンの生地取付装置。
【発明の詳細な説明】
【技術分野】
【０００１】
この発明は、たくし上げカーテンのカーテン生地をフレームに取着する取付装置に関するものである。
【背景技術】
【０００２】
たくし上げカーテンは、フレームからカーテン生地が吊下支持され、そのカーテン生地の下端部を昇降コードで引き上げることによりカーテン生地をたくし上げ、あるいは下降させて採光量を調節可能としたものである。
【０００３】
このようなたくし上げカーテンの一種類として、フレームから異なる素材の２枚のカーテン生地を重ねて吊下支持した二重タイプのたくし上げカーテンがある。このたくし上げカーテンは、例えば室外側にレース生地等の透光性を備えた生地が吊下支持され、室内側に遮光性を備えた生地が吊下支持され、各カーテン生地をそれぞれ独立して昇降することにより、採光量を適宜に調節可能としている。
【０００４】
図１１は、２枚のカーテン生地を吊下支持するフレームの従来例を示す。フレーム１は２枚の生地をそれぞれ独立して昇降するための昇降装置５ａ，５ｂを収容可能とした２本の収容部２ａ，２ｂを備えた形材として形成されている。
【０００５】
フレーム１の前面すなわち室内側の側面に面ファスナー３ａが取着され、収容部２ａ，２ｂの中間壁を下方に延長した取付辺４の前面に面ファスナー３ｂが取着されている。そして、面ファスナー３ａ，３ｂに各カーテン生地の上縁部がそれぞれ接着される。
【０００６】
図１２は、フレームの別の従来例を示す。このフレーム６の収容部７ａ，７ｂは図１１に示すフレーム１と同様である。収容部７ａ，７ｂの中間壁８の下方には取付辺９が前後方向に回動可能に吊下支持されている。
【０００７】
すなわち、中間壁８の下端にはヒンジ部を構成する凹条１０が形成され、取付辺９の上縁には凹条１０に回動可能に保持される係合部１１が形成されている。そして、フレーム６の前面及び取付辺９の前面に面ファスナー３ａ，３ｂが取着され、面ファスナー３ａ，３ｂに各カーテン生地の上縁部がそれぞれ接着される。
【特許文献１】特開２００４−２２９８３７公報（図８）
【発明の開示】
【発明が解決しようとする課題】
【０００８】
図１１に示すフレーム１では、取付辺４が収容部２ａ，２ｂから下方へ突出しているので、梱包時に取付辺４に無用な外力が作用して変形することがある。
図１２に示すフレーム６では、取付辺９が回動可能であるので、梱包時には取付辺９を収容部７ａ，７ｂの下縁に沿う方向に回動させた状態とすれば、取付辺９への無用な外力が作用し難いので、変形も生じ難い。
【０００９】
しかし、図１３に示すように、取付辺９の係合部１１を中間壁８下端の凹条１０に取り付けるには、フレーム６の側方から凹条１０に係合部１１を挿通する必要がある。従って、組み立て時にはフレーム６及び取付辺９の長さの２倍の距離を確保し得る取付スペースが必要となるため、フレーム６及び取付辺９の長さが数ｍに及ぶ長尺製品では、広い取付スペースが必要となる。また、長尺の取付辺９をフレーム６に取着する組立作業が煩雑となるという問題点がある。
【００１０】
特許文献１には、室内側の生地の取り付け部分を回動可能として、生地の着脱作業を簡単に行い得るようにした多重生地使いのローマンシェードが開示されている。しかし、フレームに設ける取付辺の変形を防止し、かつ取付辺をフレームに容易に取着する構成は開示されていない。
【００１１】
この発明の目的は、カーテン生地をフレームに取着するための取付辺の梱包時の変形を防止し、かつ取付辺をフレームに容易に取着可能としたたくし上げカーテンの生地取付装置を提供することにある。
【課題を解決するための手段】
【００１２】
請求項１では、フレームから複数枚のカーテン生地を吊下支持し、前記カーテン生地を昇降装置で昇降可能としたたくし上げカーテンにおいて、前記カーテン生地を、前記フレームの前面と、前記フレームに回動可能に支持した取付辺から吊下支持し、前記取付辺を前記フレームの係止部に掛止め可能とするとともに、前記係止部からの前記取付辺の脱落を阻止する抜け止め部材を前記フレームに取着した。
【００１３】
請求項２では、前記フレームの下端部を上方へ屈曲して前記係止部を設け、前記取付辺の上端部を下方へ屈曲して前記係止部に掛止め可能とした掛止部を設けた。
請求項３では、前記抜け止め部材は、前記フレームの下縁部にあてがって回動可能とした主板と、前記主板の下面に設けたつまみ片と、前記主板の上面に設けられ、該主板の回動操作に基づいて前記フレームのリブに係合する固定片とを備えた。
【００１４】
請求項４では、前記つまみ片は、前記固定片が前記リブに係合するとき、前記取付辺の掛止部に近接して該取付辺の前記係止部からの脱落を阻止する。
請求項５では、前記掛止部を半円弧状に形成するとともに、該円弧の中心を回動中心として前記係止部に回動可能に支持して、前記取付辺の回動時の掛止部と前記抜け止め部材との間隔を一定とした。
【００１５】
請求項６では、前記取付辺を前記係止部に回動可能に取着するとともに、該取付辺を水平方向に回動させた状態でのみ前記係止部に着脱可能とし、前記フレームには前記係止部より下方まで延設される昇降装置を取着して前記抜け止め部材とした。
【発明の効果】
【００１６】
本発明によれば、カーテン生地をフレームに取着するための取付辺の梱包時の変形を防止し、かつ取付辺をフレームに容易に取着可能としたたくし上げカーテンの生地取付装置を提供することができる。
【発明を実施するための最良の形態】
【００１７】
以下、この発明を具体化した一実施の形態を図面に従って説明する。図１及び図２に示すたくし上げカーテンは、フレーム２１からカーテン生地２２ａ，２２ｂが吊下支持され、各カーテン生地２２ａ，２２ｂの背面側には前記フレーム２１から垂下される複数本の昇降コード２３が複数の案内リング２４に挿通されている。そして、前記昇降コード２３の下端に取着されたフック２５がカーテン生地２２ａ，２２ｂの下端部に取着されている。
【００１８】
前記カーテン生地２２ａ，２２ｂは、例えば室内側のカーテン生地２２ａが遮光性を備えた生地で形成され、室外側のカーテン生地２２ｂが透光性を備えたレース生地等で形成される。
【００１９】
前記フレーム２１は、図３に示すように、下方を開口した四角筒状の２本の収容部２６ａ，２６ｂが一体に形成される形材で構成され、各収容部２６ａ，２６ｂには、図１に示すように、昇降コード巻取り装置２７、速度調整装置２８、ストッパ２９が収容され、それらに駆動軸３０が挿通されている。
【００２０】
前記フレーム２１の一端には操作装置３１が取着され、その操作装置３１内に設けられるプーリー（図示しない）に操作チェーン３２が掛装されている。そして、操作チェーン３２の操作により操作装置３１内の駆動力伝達装置を介して駆動軸３０が回転され、その駆動軸３０の回転に基づく昇降コード巻取り装置２７の動作により、各カーテン生地２２ａ，２２ｂを独立して昇降可能となっている。また、操作チェーン３２の操作により、各カーテン生地２２ａ，２２ｂはそれぞれ独立して自重降下するようになっている。
【００２１】
前記速度調整装置２８は、カーテン生地２２ａ，２２ｂの駆動軸３０の回転速度すなわちカーテン生地の昇降速度、特にカーテン生地２２ａ，２２ｂを自重降下させる際に、カーテン生地の下降速度を所定速度以下に制限するように動作する。
【００２２】
前記ストッパ２９は、操作チェーン３２を手放した状態でのカーテン生地２２ａ，２２ｂの自重降下を防止する。
次に、前記カーテン生地２２ａ，２２ｂをフレーム２１に取り付ける構成を説明する。
【００２３】
図３に示すように、前記フレーム２１の中間壁３３の下端には取付辺３４が回動可能に吊下支持される。詳述すると、前記収容部２６ａ，２６ｂの下縁には水平方向に延びるリブ３５ａ〜３５ｄが形成されている。前記収容部２６ａ，２６ｂを区画する中間壁３３の下端部に設けられるリブ３５ｂの前端は下方へ延設され、さらに後方へ屈曲され、その先端部が上方へ半円弧状に屈曲されて、係止部３６が形成されている。
【００２４】
前記取付辺３４は、前記フレーム２１と長さの等しいほぼ板状の形材で構成され、その上端部には下方へ半円弧状に屈曲する掛止部３７が形成されている。そして、図４に示すように、前記取付辺３４を前記掛止部３７に後方から掛止め可能となっている。
【００２５】
そして、前記係止部３６とリブ３５ｃとの間隔と、掛止部３７の径は、図７に示すように、取付辺３４の下端を上端より室内側となるように傾け、かつその角度が鉛直線に対し２７度以上としたとき、掛止部３７を係止部３６に掛止め可能となっている。そして、前記取付辺３４を前記掛止部３７に掛止めした状態では、前記取付辺３４は前記掛止部３７に前後方向に回動可能に支持される。
【００２６】
前記取付辺３４の後方に位置する収容部２６ｂの開口部には、フレーム２１の長手方向において少なくとも２箇所に抜け止め部材３８が取着されている。この抜け止め部材３８は合成樹脂で形成され、主板３９の上面に一対の固定片４０が形成され、主板３９の下面につまみ片４１が形成されている。
【００２７】
図５及び図６に示すように、前記主板３９はその長径が収容部２６ｂのリブ３５ｃ，３５ｄの間隔より大きくなるように形成され、その長径方向の両側に前記固定片４０が形成されている。
【００２８】
前記固定片４０は、前記リブ３５ｃ，３５ｄ間に挿入可能とする幅で形成されるとともに、互いに外側に向かって鉤形に突出するように形成され、両固定片４０の基端部の外寸は、図６に示すように、前記リブ３５ｃ，３５ｄの間隔にほぼ等しい。また、固定片４０の先端部下面には、リブ３５ｃ，３５ｄの先端部に設けられた上方への返し部４２に係合する凸部４３が形成されている。前記つまみ部４１は、下方に向かって台形に突出するように形成される。
【００２９】
このように構成された抜け止め部材３８をフレーム２１に取り付けるには、前記つまみ部４１を持って固定片４０を収容部２６ｂ内へ挿入しながら主板３９の上面をリブ３５ｃ，３５ｄにあてがう。そして、主板３９を水平方向に回動させると、図６に示すように、固定片４０の凸部４３がリブ３５ｃ，３５ｄの返し部４２を乗り越えて係合し、固定片４０がリブ３５ｃ，３５ｄに保持される。
【００３０】
この状態では、つまみ部４１の一方の斜辺４１ａが取付辺３４の掛止部３７に近接し、掛止部３７の係止部３６からの脱落を阻止するようになっている。
前記フレーム２１の前面には、同フレーム２１の全長に亘って面ファスナー４４が取着され、前記取付辺３４の前面には同取付辺３４の全長に亘って面ファスナー４５が取着される。
【００３１】
そして、面ファスナー４４に前記カーテン生地２２ａの上縁部が接着され、面ファスナー４５に前記カーテン生地２２ｂの上縁部が接着される。
上記のように構成されたたくし上げカーテンでは、組み立て時にはフレーム２１の収容部２６ａ，２６ｂ内に前記昇降コード巻取り装置２７、速度調整装置２８、ストッパ２９を組み込み、取付辺３４をフレーム２１に取着する。そして、収容部２６ｂに少なくとも２つの抜け止め部材３８を取着し、図６に示すように、取付辺３４を収容部２６ａの開口部に沿う方向に回動した状態で梱包する。
【００３２】
たくし上げカーテンの設置現場では、フレーム２１を取付ブラケットを介して取付面に取付け、面ファスナー４４，４５にカーテン生地２２ａ，２２ｂの上縁部を接着する。そして、各昇降コード巻取り装置２７から垂下される昇降コード２３を案内リング２４に挿通し、フック２５をカーテン生地２２ａ，２２ｂの下端部に取着すると、操作チェーン３２の操作によりカーテン生地２２ａ，２２ｂをそれぞれ独立して昇降可能となる。
【００３３】
上記のように構成されたたくし上げカーテンでは、次に示す作用効果を得ることができる。
（１）フレーム２１と取付辺３４からカーテン生地２２ａ，２２ｂを吊下支持して、二重タイプのたくし上げカーテンを構成することができる。
（２）フレーム２１の梱包時には、取付辺３４を収容部２６ａの開口部に沿う方向に回動させることができる。従って、梱包して運搬するとき、取付辺３４の変形を未然に防止することができる。
（３）取付辺３４の下端を係止部３６より室内側として、取付辺３４を鉛直線に対し２７度以上傾けると、係止部３６に対し取付辺３４の掛止部３７を後方から取着することができる。従って、取付辺３４とフレーム２１との組み立て作業時に必要とするスペースを前記従来例に比して縮小することができる。
（４）フレーム２１に取付辺３４を取着した後に、収容部２６ｂの開口部に抜け止め部材３８を取着することにより、取付辺３４のフレーム２１からの脱落を防止することができる。
（５）抜け止め部材３８は、固定片４０を収容部２６ｂ内に位置させて主板３９を下方からリブ３５ｃ，３５ｄにあてがい、この状態で主板３９を回動することにより、固定片４０をリブ３５ｃ，３５ｄに係合させて、抜け止め部材３８を収容部２６ｂの開口部に容易に固定することができる。
（６）収容部２６ｂに抜け止め部材３８を取着した状態でも、取付辺３４を前方へ回動することができるので、抜け止め部材３８を取着した状態で梱包することができる。
（７）取付辺３４を回動させても、掛止部３７と抜け止め部材３８の斜辺４１ａとの間隔を一定に維持することができるので、取付辺３４の回動角に関わらず、取付辺３４のフレーム２１からの脱落を防止することができる。
【００３４】
上記実施の形態は、以下の態様で実施してもよい。
・フレーム２１の係止部３６と取付辺３４の掛止部３７は、取付辺を後方から掛止め可能とし、かつ取付辺を回動可能に支持する構成であれば、上記の形状に限定されるものではない。
・抜け止め部材３８と同様な機能を、フレーム２１の端部に取着される操作装置３１あるいはキャップに備えてもよい。
・図８に示すように、フレーム２１ａの下面に形成された係止部３６ａに取付辺３４を後方から取着し、その係止部３６ａの後方においてフレーム２１ａの下面に形成されたリブ４６に抜け止め部材３８を取着するようにしてもよい。
・図９に示すように、フレーム２１ｂ下面に形成された係止部３６ｂに取付辺３４を前方から取着し、その係止部３６ｂの後方においてフレーム２１ｂの下面に形成されたリブ４７に抜け止め部材３８を取着するようにしてもよい。
するようにしてもよい。
・図１０（ａ）に示すように、収容部４８ａ，４８ｂを上下方向に積み重ねたフレーム４９の後端部下縁に係止部３６を形成し、その係止部３６から取付辺３４を吊下支持するようにしてもよい。係止部３６と掛止部３７はともに半円弧状であるが、図１０（ｂ）に示すように、取付辺３４を水平方向に回動させた状態でのみ、係止部３６に着脱可能とする。
【００３５】
そして、取付辺３４を係止部３６に取着した後に、図１０（ｃ）に示すように、収容部４８ｂに昇降コード巻取り装置の軸受け部材５０を挿入する。また、軸受け部材５０の下端部を係止部３６より下方まで延設する。
【００３６】
このような構成により、取付辺３４は軸受け部材５０に当接して水平方向に回動不能であるので、軸受け部材５０に抜け止め部材としての機能を持たせることができる。従って、部品点数を削減することができる。
【図面の簡単な説明】
【００３７】
【図１】二重タイプのたくし上げカーテンを示す斜視図である。
【図２】二重タイプのたくし上げカーテンを示す側面図である。
【図３】フレームを示す側面図である。
【図４】フレームを示す斜視図である。
【図５】抜け止め部材を示す斜視図である。
【図６】取付辺を回動させた状態を示す側面図である。
【図７】取付辺の取付動作を示す側面図である。
【図８】係止部の別例を示す側面図である。
【図９】係止部の別例を示す側面図である。
【図１０】（ａ）〜（ｃ）は抜け止め部材の別例を示す側面図である。
【図１１】従来例を示す側面図である。
【図１２】従来例を示す側面図である。
【図１３】従来例を示す斜視図である。
【符号の説明】
【００３８】
２１，２１ａ，２１ｂ，４９…フレーム、２２ａ，２２ｂ…カーテン生地、２６ａ，２６ｂ，４８ａ，４８ｂ…収容部、３３…中間壁、３４…取付辺、３６，３６ａ，３６ｂ…係止部、３７…掛止部、３８，５０…抜け止め部材。
【図１】
2010005315.tif 000003
【図２】
2010005315.tif 000004
【図３】
2010005315.tif 000005
【図４】
2010005315.tif 000006
【図５】
2010005315.tif 000007
【図６】
2010005315.tif 000008
【図７】
2010005315.tif 000009
【図８】
2010005315.tif 000010
【図９】
2010005315.tif 000011
【図１０】
2010005315.tif 000012
【図１１】
2010005315.tif 000013
【図１２】
2010005315.tif 000014
【図１３】
2010005315.tif 000015